(57)【要約】【課題】天板の下側に設置された電源タップが天板下に設置されたワゴンなどの物品や使用者と接触することを防止できる天板昇降式デスクを提供する。【解決手段】天板４と、床面上に配置され天板４を昇降可能に支持する脚体（脚部）２，２と、天板４を昇降させる昇降機構ユニット（昇降機構）５と、を有する天板昇降式デスク１において、天板４には、下方に開口する凹部４６９が形成され、凹部４６９は、電源タップ１１のコンセント部分１１ａを収容可能に構成されている。【選択図】図２
2016137166.tif 000002
【特許請求の範囲】
【請求項１】
天板と、床面上に配置され前記天板を昇降可能に支持する脚部と、前記天板を昇降させる昇降機構と、を有する天板昇降式デスクにおいて、
前記天板には、下方に開口し、電子機器を接続可能な電源タップのコンセント部分を収容する凹部が形成されていることを特徴とする天板昇降式デスク。
【請求項２】
前記電源タップのコンセント部分は、前記凹部の内面に磁着されていることを特徴とする請求項１に記載の天板昇降式デスク。
【請求項３】
前記凹部の内面は、配置される床面と平行となる底面部と、該底面部から下方に延びる側面部と、を有し、前記底面部および前記側面部の少なくとも一方に前記電源タップのコンセント部分が磁着されていることを特徴とする請求項２に記載の天板昇降式デスク。
【請求項４】
前記天板には、上下方向に貫通し電子機器の配線を挿通可能な孔部が形成され、
該孔部は、前記凹部と平面視において重なる位置に配置されていることを特徴とする請求項１乃至３のいずれか一項に記載の天板昇降式デスク。
【請求項５】
前記凹部は、少なくとも延在方向の一方の端部が前記天板の縁部に達するように延在していて、
前記電源タップの配線部分は、前記凹部を通って前記天板の縁部から前記天板の外側に引き出されていることを特徴とする請求項１乃至４のいずれか一項に記載の天板昇降式デスク。
【発明の詳細な説明】
【技術分野】
【０００１】
本発明は、オフィスや公共施設等の執務空間において、執務者の要望に応じて天板高さを上下に変更可能とした、天板昇降式デスクに関する。
【背景技術】
【０００２】
オフィスや公共施設等の執務空間においては、執務者に作業エリアを提供するためにデスクが配設されているのが一般的である。このようなデスクにおいて、作業のし易い天板高さは、執務者の体格や性別、嗜好等によって個々によって大きく異なる。しかし、天板高さが一定である一般的なデスクでは前記の実状に対応できないため、従来、天板高さを上下に変更可能とした天板昇降式デスクが提供されている（例えば、特許文献１乃至特許文献５参照）。
このような天板昇降式デスクを用いることにより、執務者の要望に応じた天板高さの作業エリアを提供することができ、作業効率が向上すると共に、執務者の体への負荷を低減することができる。
【先行技術文献】
【特許文献】
【０００３】
【特許文献１】特許第３３７１９５９号公報
【特許文献２】特許第３３９１２８５号公報
【特許文献３】登録実用新案第３１６４７３９号公報
【特許文献４】特開２０１４−１１３５０５号公報
【特許文献５】特開２０１４−１４０７５３号公報
【発明の概要】
【発明が解決しようとする課題】
【０００４】
ところで、天板昇降式デスクの天板上に設置された電子機器の配線が執務空間の床や壁に設置された電源コンセントに接続され、天板の下方の空間に露出している場合、天板を昇降させると、天板の下方の電子機器の配線が天板の昇降に伴って変形したり移動したりすることになる。
このため、電子機器の配線を行う際には、天板の昇降に伴って変形したり移動したりする配線が天板の下方に設置されたワゴンなどの物品に引っ掛からないように配慮する必要がある。特に、天板上に多数の電子機器が設置されていると、これらの配線に手間がかかるという問題がある。
【０００５】
これに対し、天板の裏側に電源タップ（ＯＡタップ）のコンセント部分が取り付けられて、この電源タップのコンセント部分に天板昇降式デスクの天板上に設置された電子機器の配線が接続されている場合、電子機器の配線が天板の下方の空間、特に床面上にほとんど露出しないため、天板の昇降に伴って電子機器の配線が変形したり移動したりすることはない。しかしながら、電源タップのコンセント部分が天板の裏面から下方に突出してしまい、天板を下降させた際に天板と天板下に設置されたワゴンなどの物品とが近接したり接触したりすると、電源タップのコンセント部分が天板と物品に挟まれ、電源タップや物品が損傷する虞がある。また、電源タップのコンセント部分が天板の裏側から下方に突出していると、使用者が電源タップのコンセント部分に接触する虞がある。
【０００６】
そこで、本発明は、天板の下側に設置された電源タップが天板下に設置されたワゴンなどの物品や使用者と接触することを防止できる天板昇降式デスクを提供することを目的とする。
【課題を解決するための手段】
【０００７】
上記目的を達成するため、本発明に係る天板昇降式デスクは、天板と、床面上に配置され前記天板を昇降可能に支持する脚部と、前記天板を昇降させる昇降機構と、を有する天板昇降式デスクにおいて、前記天板には、下方に開口し、電子機器を接続可能な電源タップのコンセント部分を収容する凹部が形成されていることを特徴とする。
【０００８】
本発明では、天板に電源タップのコンセント部分を収容する凹部が形成されているため、この電源タップのコンセント部分に天板の上に設置された電子機器の配線を接続することができる。そして、電源タップのコンセント部分が凹部内に収容されることにより、電源タップのコンセント部分が天板の下面から突出することを防止できる。
このため、天板を下降させた際に天板と天板下に設置されたワゴンなどの物品とが近接したり接触したりしても、電源タップのコンセント部分が天板と物品に挟まれることがなく、電源タップや物品が損傷することを防止できる。
また、電源タップのコンセント部分が天板の下面から突出しないため、使用者が電源タップのコンセント部分に接触することを防止できる。
なお、電源タップのコンセント部分とは、電子機器のプラグが差し込まれるコンセントが設けられている部分を示し、電源タップの配線部分とは、コンセント部分に接続されてコンセント部分に電源を供給するための配線と示している。
【０００９】
また、本発明に係る天板昇降式デスクでは、前記電源タップのコンセント部分は、前記凹部の内面に磁着されていることが好ましい。
このような構成とすることにより、凹部内に電源タップのコンセント部分を容易に固定することができる。また、電源タップのコンセント部分の位置変更を容易に行うことができる。
【００１０】
また、本発明に係る天板昇降式デスクでは、前記凹部の内面は、配置される床面と平行となる底面部と、該底面部から下方に延びる側面部と、を有し、前記底面部および前記側面部の少なくとも一方に前記電源タップのコンセント部分が磁着されていることが好ましい。
電源タップのコンセント部分が底面部に磁着されている場合と側面部に磁着されている場合とでは、電源タップのコンセント部分の向きが変わることになる。このため、凹部や電源タップのコンセント部分の形状に合わせて、電源タップのコンセント部分を底面部および側面部の少なくとも一方に磁着させることで、電源タップのコンセント部分が凹部からはみ出ることなく、電源タップのコンセント部分全体を凹部内に収容することができる。
【００１１】
また、本発明に係る天板昇降式デスクでは、前記天板には、上下方向に貫通し電子機器の配線を挿通可能な孔部が形成され、該孔部は、前記凹部と平面視において重なる位置に配置されていることが好ましい。
このような構成とすることにより、天板上の電子機器の配線を容易に凹部に到達させることができ、配線の簡便化を図ることができる。このため、電子機器の配線の体裁を良好にできるとともに、電子機器の配線を容易に行うことができる。
【００１２】
また、本発明に係る天板昇降式デスクでは、前記凹部は、少なくとも延在方向の一方の端部が前記天板の縁部に達するように延在していて、前記電源タップの配線部分は、前記凹部を通って前記天板の縁部から前記天板の外側に引き出されていることが好ましい。
このような構成とすることにより、電源タップの配線部分が天板の下方に垂れ下がることがないため、天板を昇降させた際に、電源タップの配線部分が天板下に設置されたワゴンなどの物品に引っ掛かることを防止できる。また、電源タップの配線部分が天板の下方に垂れ下がることがないため、使用者が電源タップの配線部分と接触することを防止できる。
【発明の効果】
【００１３】
本発明によれば、天板の下側に設置された電源タップが天板下に設置されたワゴンなどの物品や使用者と接触することを防止できる。
【図面の簡単な説明】
【００１４】
【図１】本発明の実施形態による天板昇降式デスクの一例を示す上方から見た斜視図である。
【図２】本発明の実施形態による天板昇降式デスクの一例を示す下方から見た斜視図である。
【図３】図１のＡ−Ａ線断面図である。
【図４】図３の後部側の拡大図である。
【発明を実施するための形態】
【００１５】
以下、本発明の実施形態による天板昇降式デスクについて、図１乃至図４に基づいて説明する。
なお、以下の説明においては、図１および図２に示す天板昇降式デスク１における矩形状の天板４の長辺の長さ方向を左右方向、天板４の短辺の長さ方向を前後方向とする。
【００１６】
図１および図２に示すように、本実施形態による天板昇降式デスク１は、左右に離間して配置された一対の脚体（脚部）２、２と、これら一対の脚体２、２間を連結する連結部材３（図２参照）と、脚体２、２上に支持されて連結部材３上に配置された平板状の天板４と、を有しており、一対の脚体２、２にそれぞれ昇降機構ユニット５，５を有することにより、天板４が上下に昇降可能に構成されている。
また、天板昇降式デスク１には、後述するように一対の昇降機構ユニット５、５を共に制御する制御ユニット６（図２参照）が設けられ、さらに、昇降機構ユニット５に昇降動作信号を入力するための操作部７（図１参照）が設けられている。
【００１７】
脚体２は、床面上に配置される下部支持体８（図１参照）と、下部支持体８の上方に配置されて天板４の下面を支持する上部支持体９と、これら下部支持体８と上部支持体９との間を伸縮可能に連結する昇降機構ユニット５と、を有して構成されている。
下部支持体８は、前後に延在する板状のもので、前後の各端部にそれぞれアジャスター８１，８１が設けられたことにより、床面からの高さの微調整が可能に構成されている。
【００１８】
昇降機構ユニット５は、従来公知の構成からなるもので、寸法の異なる複数の角筒５１，５１…が互いに相対移動可能に嵌り合っていることにより、内部に収容された駆動機構の駆動によって上下方向に伸縮可能になっている。これにより、昇降機構ユニット５は下部支持体８と上部支持体９との間を伸縮可能に連結している。
【００１９】
上部支持体９は、天板４の前後方向に延在して配置されて、天板４の左右方向における側端部の下面を支持している。この上部支持体９は、昇降機構ユニット５に対して天板４の前側となる前端側９ａの方が長く、天板４の後側となる後端側９ｂの方が短くなるように、昇降機構ユニット５の上端部に溶接等によって一体に固定されている。
【００２０】
図３に示すように、天板４は、矩形板状に形成されていて、スチールなどの金属板を加工した芯材４１と、芯材４１の上面、左右方向の側端面および前端面を覆うメラミン化粧板などの表面材４２と、芯材４１の後端部を覆うカバー材４３と、を有している。
芯材４１は、上側に配置される上側芯材４５と、上側芯材４５の下側に配置される３つの下側芯材４６，４７，４８と、を有している。
【００２１】
上側芯材４５は、矩形板状に形成され板面が水平面となる水平板部４５ａと、水平板部４５ａの前側の縁部に連続し前側に向かう斜め下方に延びるとともに先端部側が後側に折れ曲がった前側板部４５ｂと、水平板部４５ａの左右の縁部に連続し下方に延びる側板部４５ｃ，４５ｃと、水平板部４５ａの後側の縁部に連続し下方に延びる後側板部４５ｄと、後側板部４５ｄの下端部から前側に延びる下側板部４５ｅと、を有している。
そして、上側芯材４５は、水平板部４５ａの上面、前側板部４５ｂ、側板部４５ｃ，４５ｃの外側の面が表面材４２に覆われていて、後側板部４５ｄの外側の面がカバー材４３に覆われている。
【００２２】
３つの下側芯材４６，４７，４８は、前後方向に間隔をあけて配置されている。３つの下側芯材４６，４７，４８のうち、前後方向の最後部に配置されるものを第１下側芯材４６とし、中間部に配置されるものを第２下側芯材４７とし、最前部に配置されるものを第３下側芯材４８とする。
【００２３】
図４に示すように、第１下側芯材４６は、左右方向に延在する部材で、左右方向全体にわたって凹凸を有する断面形状に形成されている。第１下側芯材４６は、最後部に配置され板面が前後方向を向く鉛直面となる第１鉛直板部４６１と、第１鉛直板部４６１の下端部から前側に延びて板面が水平面となる第１水平板部４６２と、第１水平板部４６２の前端部から上側に延びて板面が前後方向を向く鉛直面となる第２鉛直板部４６３と、第２鉛直板部４６３の上端部から前側に延びて板面が水平面となる第２水平板部４６４と、第２水平板部４６４の前端部から下側に延びて板面が前後方向を向く鉛直面となる第３鉛直板部４６５と、第３鉛直板部４６５の下端部から前側に延びて板面が水平面となる第３水平板部４６６と、第３水平板部４６６の前端部から上側に延びて板面が前後方向を向く鉛直面となる第４鉛直板部４６７と、第４鉛直板部４６７の上端部から前側に延びて板面が水平面となる第４水平板部４６８と、を有している。
【００２４】
第１鉛直板部４６１、第２鉛直板部４６３、第３鉛直板部４６５および第４鉛直板部４６７は、それぞれ略同じ高さに配置されるとともに、略同じ高さ寸法に形成されている。そして、第１水平板部４６２と第３水平板部４６６とは、略同じ高さに配置され、第２水平板部４６４と第４水平板部４６８とは、略同じ高さに配置されている。
このような第１下側芯材４６は、第２水平板部４６４および第４水平板部４６８の上面が上側芯材４５の水平板部４５ａの下面と当接した状態で上側芯材４５に固定されている。そして、第１下側芯材４６が上側芯材４５に固定されると、第１鉛直板部４６１の後面が上側芯材４５の後側板部４５ｄの前面と当接し、第１水平板部４６２の下面のうちの後側の部分が上側芯材４５の下側板部４５ｅの上面と当接している。
【００２５】
そして、第１下側芯材４６には、第２鉛直板部４６３、第２水平板部４６４および第３鉛直板部４６５に囲まれた左右方向に延在し下方に開口する凹部４６９が形成されている。この凹部４６９には、天板４上に設置された電子機器（付図示）に電源を供給する電源タップ１１のコンセント部分１１ａ（電子機器のプラグが差し込まれるコンセントが設けられている部分）を収容可能となっている。
【００２６】
本実施形態では、第１下側芯材４６は、スチールなどの磁性を有する材料で形成されているため、電源タップ１１のコンセント部分１１ａに磁石が設けられている場合は、凹部４６９を構成する第２鉛直板部４６３、第２水平板部４６４および第３鉛直板部４６５に電源タップ１１のコンセント部分１１ａが磁着可能に構成されている。本実施形態では、第２水平板部４６４の下面が本発明の凹部４６９の底面部に相当し、第２鉛直板部４６３および第３鉛直板部４６５のそれぞれ対向する面が、凹部４６９の側面部に相当している。
【００２７】
図４では、第２水平板部４６４に磁着された電源タップ１１のコンセント部分１１ａを実線で示し、第２鉛直板部４６３および第３鉛直板部４６５に磁着された電源タップ１１のコンセント部分１１ａを一点鎖線で示している。
なお、凹部４６９に収容された電源タップ１１のコンセント部分１１ａは、天板４６９の下面（第１下側芯材４６の第１水平板部４６２および第３水平板部４６６の下面）よりも下方に突出しないように配置されている。
【００２８】
図３に戻り、第２下側芯材４７は、左右方向に延在する部材で、左右方向全体にわたって略ハット形状の断面形状に形成されている。第２下側芯材４７は、最後部に配置され板面が水平面となる第１水平板部４７１と、第１水平板部４７１の前端部から下側に延びて板面が前後方向を向く鉛直面となる第１鉛直板部４７２と、第１鉛直板部４７２の下端部から前側に延びて板面が水平面となる第２水平板部４７３と、第２水平板部４７３の前端部から上側に延びて板面が前後方向を向く鉛直面となる第２鉛直板部４７４と、第２鉛直板部４７４の上端部から前側に延びて板面が水平面となる第３水平板部４７５と、を有している。
【００２９】
第１、第２鉛直板部４７２，４７４は、それぞれ略同じ高さに配置されるとともに、略同じ高さ寸法に形成されている。そして、第１水平板部４７１と第３水平板部４７５とは、略同じ高さに配置されている。
そして、第２下側芯材４７は、第１水平板部４７１および第３水平板部４７５の上面が上側芯材４５の水平板部４５ａの下面と当接した状態で上側芯材４５に固定されている。
【００３０】
第３下側芯材４８は、第２下側芯材４７と略同じ形状に形成されていて、第２下側芯材４７の第１水平板部４７１、第１鉛直板部４７２、第２水平板部４７３、第２鉛直板部４７４、および第３水平板部４７５とそれぞれ同様の第１水平板部４８１、第１鉛直板部４８２、第２水平板部４８３、第２鉛直板部４８４、および第３水平板部４８５を有している。
そして、第３下側芯材４８は、第１水平板部４８１および第３水平板部４８５の上面が上側芯材４５の水平板部４５ａの下面と当接した状態で上側芯材４５に固定されている。
なお、第１下側芯材４６の第１水平板部４６２、第３水平板部４６６、第２下側芯材４７の第２水平板部４７３、および第３下側芯材４８の第２水平板部４８３は、それぞれ略同じ高さに配置されている。
【００３１】
また、本実施形態では、天板４の後側の左右両側部で、天板４の凹部４６９と平面視において重なる位置に、該天板４の上下面間を貫通する配線挿通孔４９（孔部）が設けられている。本実施形態では、左右方向に間隔をあけて２つ設けられている。
配線挿通孔４９は、天板４上に置かれたディスプレイなどの電子機器の接続配線ケーブル１２１を天板４の凹部４６９に案内できるように構成されている。そして凹部４６９に案内された接続配線ケーブル１２１は、凹部４６９内に配置された電源タップ１１のコンセント部分１１ａに接続可能になっている。本実施形態では、凹部４６９のうち配線挿通孔４９と重ならない位置に電源タップ１１のコンセント部分１１ａが磁着されている。
なお、本実施形態では、電源タップ１１の配線部分１１ｂは、凹部４６９内に配置されて左右方向の一方の端部まで延びて天板４の外側に引き出され、脚体２の近傍を通って執務空間内に設けられた電源コンセント（不図示）に接続されている。
【００３２】
また、図１に示すように天板４の前端縁部下面側には、操作部７が設けられている。操作部７は、昇降機構ユニット５に対してその昇降動作信号を入力するための操作ボタンを有している。そして、使用者が操作部７を操作して昇降動作信号を送信することで昇降機構ユニット５、５を共に駆動させ、天板４の高さを任意に変更することができる。
【００３３】
図２に示すように、連結部材３は、左右方向に延在し、両端部が一対の上部支持体９、９に溶接等によってそれぞれ取り付けられており、これによって一対の脚体２、２の上部支持体９同士を連結している。連結部材３は、天板４の第１下側芯材４６よりも前方に配置されている。これにより、天板４の凹部４６９は、連結部材３とは上下方向に重ならず下方に開放されている。
【００３４】
また、連結部材３には下方に開口する空間部３１が形成されていて、この空間部３１には、ネジ止め等によって制御ユニット６が固定され、収容されている。
制御ユニット６は、一対の脚体２、２のそれぞれに設けられた昇降機構ユニット５、５の昇降動作を、共に制御するもので、本実施形態では天板４の凹部４６９に配置された電源タップ１１のコンセント部分１１ａに接続されてこれから電力が供給されることにより作動する。
この制御ユニット６には、電源ケーブル６１とは別に、該制御ユニット６と一対の昇降機構ユニット５、５との間を接続するユニット間配線ケーブル（不図示）が接続されており、さらに、操作部７の操作部用配線ケーブル（不図示）も接続されている。
【００３５】
このような制御ユニット６は、電源タップ１１を介して供給された電力を昇降機構ユニット５に送ると共に、操作部７からの昇降機構ユニット５の昇降動作信号を受信すると、受信した信号に基づいて昇降機構ユニット５の昇降動作を制御し、天板４の高さの変更を行うようになっている。なお、ユニット間配線ケーブル、操作部用配線ケーブルなどは、空間部３１に通線されている。
【００３６】
連結部材３の下面側には、空間部３１を覆い、上面に配線を載置可能なカバー部材３２が取り付けられている。カバー部材３２は、金属板が折り曲げられて形成されたもので、前後方向の長さ寸法が連結部材３の前後方向の長さ寸法よりも大きく形成されている。そして、カバー部材３２が連結部材３の下面側に取り付けられると、連結部材３の前後いずれかの方向に向かって延出している。本実施形態では、カバー部材３２は連結部材３の後側に延出している。なお、カバー部材３２は、連結部材３の前側に延出していてもよく、前後両側に延出していてもよい。
【００３７】
また、本実施形態では、天板４の下面に電子機器載置部３３が吊支されている。電子機器載置部３３は、前後方向に貫通する筒状に形成されている。これにより、電子機器載置部３３の後方から取り出された電子機器載置部３３に設置された電子機器の配線を天板４の凹部４６９に収容された電源タップ１１のコンセント部分１１ａに接続可能であるとともに、天板４の上方から配線挿通孔４９を通って天板４の下方に取り出された配線を電子機器載置部３３に設置された電子機器に接続可能に構成されている。
【００３８】
次に、上述した本実施形態による天板昇降式デスク１の作用・効果について図面を用いて説明する。
上述した本実施形態による天板昇降式デスク１では、天板４に電源タップ１１のコンセント部分１１ａを収容できる凹部４６９が形成されているため、この電源タップ１１のコンセント部分１１ａに天板４の上に設置された電子機器の配線を接続することができる。そして、電源タップ１１のコンセント部分１１ａが天板４に形成された凹部４６９内に収容されることにより、電源タップ１１のコンセント部分１１ａが天板４の下面から突出することを防止できる。
このため、天板４を下降させた際に天板４と天板４下に設置されたワゴンなどの物品とが近接したり接触したりしても、電源タップ１１のコンセント部分１１ａが天板４と物品に挟まれることがなく、電源タップのコンセント部分１１ａや物品が損傷することを防止できる。
また、電源タップ１１のコンセント部分１１ａが天板４の下面から突出しないため、使用者が電源タップ１１のコンセント部分１１ａに接触することを防止できる。
【００３９】
また、電源タップ１１のコンセント部分１１ａは、凹部４６９の内面に磁着されていることにより、凹部４６９内に電源タップ１１のコンセント部分１１ａを容易に固定することができる。また、電源タップ１１のコンセント部分１１ａの位置変更を容易に行うことができる。
更に、本実施形態では、電源タップ１１のコンセント部分１１ａは、凹部４６９を構成する第２水平板部４６４、第２鉛直板部４６３および第３鉛直板部４６５それぞれに磁着可能に構成されている。そして、電源タップ１１のコンセント部分１１ａは、第２水平板部４６４に磁着される場合、第２鉛直板部４６３に磁着される場合、および第３鉛直板部４６５に磁着される場合で、向きがそれぞれ変わることになる。このため、凹部４６９や電源タップ１１のコンセント部分１１ａの形状に合わせて、電源タップ１１のコンセント部分１１ａを第２水平板部４６４、第２鉛直板部４６３および第３鉛直板部４６５のいずれかに磁着させることで、電源タップ１１のコンセント部分１１ａが凹部４６９からはみ出ることなく、凹部４６９内に収容することができる。
【００４０】
また、天板４には、上下方向に貫通し電子機器の配線を挿通可能な配線挿通孔４９が形成され、配線挿通孔４９は、凹部４６９と平面視において重なる位置に配置されていることにより、天板４上の電子機器の配線を容易に凹部４６９に到達させることができ、配線の簡便化を図ることができる。このため、電子機器の配線の体裁を良好にできるとともに、電子機器の配線を容易に行うことができる。
【００４１】
また、凹部４６９は、左右方向に延在していて、左右方向の両端部が天板４の左右方向の縁部に達しているため、電源タップ１１の配線部分１１ｂを、凹部４６９を通して天板４の左右方向の外側に引き出すことができる。このため、電源タップ１１の配線部分１１ｂが天板４の下方に垂れ下がることがないため、天板４を昇降させた際に、電源タップ１１の配線部分１１ｂが天板４下に設置されたワゴンなどの物品に引っ掛かることを防止できる。また、電源タップ１１の配線部分１１ｂが天板４の下方に垂れ下がることがないため、使用者が電源タップ１１の配線部分１１ｂと接触することを防止できる。
【００４２】
以上、本発明による天板昇降式デスク１の実施形態について説明したが、本発明は上記の実施形態に限定されるものではなく、その趣旨を逸脱しない範囲で適宜変更可能である。
例えば、上記の実施形態では、天板昇降式デスク１は、一対の昇降機構ユニット５、５および制御ユニット６を有し、操作部７の操作により天板４が昇降可能に構成されているが、天板４が昇降する機構は、上記以外の例えば、ガススプリングやギアなどを用いる機構としてもよい。
また、上記の実施形態では、天板４は、スチールなどの金属板を加工した芯材４１と、芯材４１表面を覆うメラミン化粧板などの表面材４２とを有する構成であるが、電源タップ１１のコンセント部分１１ａを収容可能な凹部が形成されていれば、木質の合板などで構成されていてもよい。
【００４３】
また、上記の実施形態では、凹部４６９は、左右方向に延在し、天板４の後部側に形成されているが、形状や天板４に対して形成される場所は適宜設定されてよい。
また、上記の実施形態では、凹部４６９の内面が磁性を有しているが、磁性を有していなくてもよい。この場合、電源タップ１１のコンセント部分１１ａは、ネジや凹部４６９に設けられたフックなどの固定具で凹部４６９に固定されることが好ましい。また、凹部４６９の下部側に電源タップ１１のコンセント部分１１ａを載置可能な板材が設けられていてもよい。
【００４４】
また、上記の実施形態では、凹部４６９を構成する第２水平板部４６４、第２鉛直板部４６３および第３鉛直板部４６５が磁性を有し、これらに電源タップ１１のコンセント部分１１ａが磁着されるように構成されている、凹部４６９の内面のうちの一部が磁性を有していて、この磁性を有している部分に電源タップ１１のコンセント部分が磁着されるように構成されていてもよい。
【００４５】
また、上記の実施形態では、天板４に配線挿通孔４９が形成されているが、形成されていなくてもよい。
また、上記の実施形態では、配線挿通孔４９は、凹部４６９と平面視において重なる位置に２つ形成されているが、凹部４６９と平面視において重ならない位置に形成されてもよく、天板４に形成される数についても適宜設定されてよい。
また、上記の実施形態では、凹部４６９は、左右方向に延在していて、左右方向の両端部が天板４の左右方向の縁部に達し、電源タップ１１の配線部分１１ｂが凹部４６９を通して天板４の左右方向の外側に引き出しているが、電源タップ１１の配線部分１１ｂについては、凹部４６９を通らずに天板４の下側や外側に引き出されてもよい。
【符号の説明】
【００４６】
１  天板昇降式デスク
２  脚体（脚部）
３  連結部材
４  天板
５  昇降機構ユニット（昇降機構）
１１  電源タップ
１１ａ  コンセント部分
１１ｂ  配線部分
４９  配線挿通孔（孔部）
４６４  第２水平板部（底面部）
４６３  第２鉛直板部（側面部）
４６５  第３鉛直板部（側面部）
４６９  凹部
【図１】
2016137166.tif 000003
【図２】
2016137166.tif 000004
【図３】
2016137166.tif 000005
【図４】
2016137166.tif 000006